(57)【要約】      （修正有）【課題】不使用時には吐水口を格納して見栄え、清掃性、および安全性の向上を図りながら、内筒の出没動作性の高い吐水装置を提供する。【解決手段】基台１に埋め込み固定される外筒２と、外筒２内に没入した格納姿勢と外筒２から上方に突出する突出姿勢とにわたって出没可能な内筒３と、内筒３内において上下摺動可能な弁体４と、外筒２の下方に連通管５を介して配されたドレン弁６とを有する。止水時において、ドレン弁６は第１バネ２８で上方に付勢されて排水口２９が開口しており、内筒３は第２バネ３２で、弁体４は第３バネ３４で下方に付勢されて内筒３の底壁１８の開口２５を塞いでいる。外筒２の底壁１０からは、内筒３の底壁１８を貫通して回転規制棒１４が立設されている。通水時は、水圧によりドレン弁６、内筒３、弁体４がそれぞれこの順でバネの付勢力に抗して上下方向に摺動することで、内筒３の吐水口２２から吐水する。【選択図】図１
0003120535.tif 000002
【実用新案登録請求の範囲】
【請求項１】
基台（１）に埋め込み固定される外筒（２）と、外筒（２）内において外筒（２）と上面フラット状に没入した格納姿勢と外筒（２）から上方に突出する突出姿勢とにわたって出没可能な内筒（３）と、内筒（３）内において上下摺動可能な弁体（４）と、外筒（２）の下方に連通管（５）を介して配され、内部の残留水を外部へ排出するドレン弁（６）とを有し、
外筒（２）、内筒（３）および連通管（５）は、外筒（２）の底壁（１０）に形成された開口（１３）および内筒（３）の底壁（１８）に形成された開口（２５）を介してそれぞれ内部が連通しており、
外筒（２）の底壁（１０）からは、内筒（３）の底壁（１８）を貫通して回転規制棒（１４）が立設されており、
止水時において、ドレン弁（６）は第１バネ（２８）で上方に付勢されて排水口（２９）が開口しており、
内筒（３）は、第２バネ（３２）で下方に付勢されて外筒（２）内に格納しており、
弁体（４）は、第３バネ（３４）で下方に付勢されて、内筒（３）の底壁（１８）の開口（２５）を塞いでおり、
第1バネ（２８）は第２バネ（３２）よりもバネ圧が低く、第２バネ（３２）は第３バネ（３４）よりもバネ圧が低く設定されていることで、通水を開始するとドレン弁（６）、内筒（３）、弁体（４）がそれぞれこの順でバネの付勢力に抗して上下に摺動することで、内筒（３）の周側壁（１６）に貫通状に形成された吐水口（２２）から吐水する吐水装置。
【請求項２】
外筒（２）と内筒（３）との間は、前記第２バネ（３２）の上端と前記吐水口（２２）との間の上下高さ位置においてのみ液密状にシールされている請求項１記載の吐水装置。
【請求項３】
内筒（３）が下方限界にあるとき、外筒（２）の底壁（１０）と内筒（３）の底壁（１８）との間には隙間が形成されている請求項１または２記載の吐水装置。
【請求項４】
内筒（３）の上壁（１７）には、弁体（４）内の空気抜路（２４）が形成されている請求項３記載の吐水装置。
【考案の詳細な説明】
【技術分野】
【０００１】
本考案は、不使用時は吐水口が格納されており、使用時には吐水口が突出して吐水する格納型の吐水装置に関する。
【背景技術】
【０００２】
この種の吐水装置において、基台に埋め込み固定される外筒と、外筒内において外筒と上面フラット状に没入した格納姿勢と外筒から上方に突出する突出姿勢とにわたって出没可能な内筒と、内筒内において上下摺動可能な弁体と、外筒の下方に連通管を介して配され、内部の残留水を外部へ排出するドレン弁とを有すること、外筒、内筒および連通管は、外筒の底壁に形成された開口および内筒の底壁に形成された開口を介してそれぞれ内部が連通していること、止水時においてドレン弁は第１バネで上方に付勢されて排水口が開口していること、内筒は第２バネで下方に付勢されて外筒内に格納していること、弁体は第３バネで下方に付勢されて前記内筒の底壁の開口を塞いでいること、第1バネは第２バネよりもバネ圧が低く、第２バネは第３バネよりもバネ圧が低く設定されていることで、通水を開始するとドレン弁、内筒、弁体がそれぞれこの順でバネの付勢力に抗して上下に摺動することで内筒の周側壁に貫通状に形成された吐水口から吐水することは、特許文献１に公知である。また、その他の格納型吐水装置として特許文献２がある。
【０００３】
【特許文献１】特開平７−９０８９３号公報（段落番号００１５、図１、図４）
【特許文献２】実開平３−３６０５５号公報（図１、図２）
【考案の開示】
【考案が解決しようとする課題】
【０００４】
特許文献１の吐水装置では、内筒は単に外筒内に配置されているのみなので、内筒が外筒内で左右に回転し、吐水方向が所望する方向から不用意にズレてしまうおそれがある。また、外筒と内筒とはその下方部のみでシールされているだけなので、一度通水すれば外筒と内筒との間に水が残る構成となっている。したがって、再度通水して内筒を外筒から突出させる際に、内筒の上昇に伴って外筒の上面開口と内筒との隙間から内部の水が漏れ出してしまい、体裁が悪い。さらに内筒が下方限界にあるとき、外筒の底壁と内筒の底壁とは当接しているので、内筒の水圧を受ける面積が小さく、内筒の上昇の初期動作に難がある。
【０００５】
特許文献２の吐水装置にはドレン弁が配されていないので、吐水装置内に溜まった水の逃げ場がなく、止水した際に吐水口の格納が円滑に行えない。
【０００６】
そこで本考案の目的は、不使用時には吐水口を格納して見栄え、清掃性、および安全性の向上を図りながら、内筒の出没動作性の高い吐水装置を提供するにある。
【課題を解決するための手段】
【０００７】
請求項１記載の本考案は、基台１に埋め込み固定される外筒２と、外筒２内において外筒２と上面フラット状に没入した図１の格納姿勢と外筒２から上方に突出する図２の突出姿勢とにわたって出没可能な内筒３と、内筒３内において上下摺動可能な弁体４と、外筒２の下方に連通管５を介して配され、内部の残留水を外部へ排出するドレン弁６とを有し、外筒２、内筒３および連通管５は、外筒２の底壁１０に形成された開口１３および内筒３の底壁１８に形成された開口２５を介してそれぞれ内部が連通している。外筒２の底壁１０からは、内筒３の底壁１８を貫通して回転規制棒１４が立設されている。
【０００８】
不使用時（止水時）においてドレン弁６は、第１バネ２８で上方に付勢されて排水口２９が開口している。内筒３は第２バネ３２で下方に付勢されて、外筒３内に格納されている。弁体４は第３バネ３４で下方に付勢されて、前記内筒３の底壁１８の開口２５を塞いでいる。ここで、第1バネ２８は第２バネ３２よりもバネ圧が低く、第２バネ３２は第３バネ３４よりもバネ圧が低く設定されている。すなわち、第１バネ１８、第２バネ３２、第３バネ３４は、これの順にバネ圧が大きくなるよう設定されている。この止水状態から通水を開始すると、その水圧によりドレン弁６、内筒３、弁体４がそれぞれこの順でバネの付勢力に抗して上下に摺動することで、内筒３の周側壁１６に貫通状に形成された吐水口２２から吐水する構成となっている。
【０００９】
請求項２記載の本考案は、請求項１記載の吐水装置において、外筒２と内筒３との間は、前記第２バネ３２の上端と前記吐水口２２との間の上下高さ位置における１箇所のみで液密状にシールされている。
【００１０】
請求項３記載の本考案は、請求項１または２記載の吐水装置において、内筒３が下方限界にあるとき、外筒２の底壁１０と内筒３の底壁１８との間には隙間が形成されている。
【００１１】
請求項４記載の本考案は、請求項３記載の吐水装置において、内筒３の上壁１７には弁体４内の空気抜路２４が形成されている。
【考案の効果】
【００１２】
請求項１記載の本考案によれば、外筒２は基台１に埋め込み固定されて、不使用（止水）時には内筒３も外筒２の内部に上面フラット状に格納されており、通水に伴って内筒３が外筒２から上方に突出して内筒３に形成された吐水口２２から吐水する。そのため、不使用時には基台１表面に突起物がないため見栄が良好、清掃が容易、怪我の危険性防止などの点で有利であり、通水、止水操作により内筒３が自動的に出没するので、操作も簡単である。
【００１３】
さらに請求項１記載の本考案では、外筒２の底壁１０から内筒３の底壁１８を貫通して回転規制棒１４が立設されている。これにより、内筒３は外筒２内で左右に回転することなく吐水方向を一定にでき、内筒３の上下摺動も安定する。また、止水した直後に内筒３内に水が残ってもいても、回転規制棒１４と内筒３の底壁１８との隙間から徐々に残留水を排出できるので内筒３内を清潔に保つことができ、次に通水する際に内筒３周りから水が漏れ出すおそれもない。
【００１４】
請求項２記載の本考案によれば、外筒２と内筒３との間が第２バネ３２の上端よりも上方でシールされているので、通止水操作を頻繁に行ったときに外筒２と内筒３との間に水が残留していても、内筒３の周りから水が漏れ出すのを確実に防止できる。同時に、内筒３の吐水口２２よりも下方でシールされているので、内筒３が突出する際にシール部材が吐水口２２の凹みに引っ掛かることなく円滑な上下摺動を確保できる。また、外筒２と内筒３との間はこの１箇所のみでシールされているだけなので、内筒３の上昇時には外筒２と内筒３との間の隙間の空気を内筒３の外周下方から逃がすことができ、止水時には当該隙間に水が残留していても内筒３の外周下方から徐々に排水できる。
【００１５】
請求項３記載の本考案によれば、内筒３が下方限界にあるときに外筒２の底壁１０と内筒３の底壁１８との間には隙間が形成されているので、通水を開始すると当該隙間に水が入り込み、内筒３の底面全体で水圧を受けることになる。したがって、内筒３は上昇初期動作から水圧を確実に受け止めて円滑な上下動を担保できる。
【００１６】
請求項４記載の本考案によれば、内筒３の上壁１７には弁体４内の空気抜路２４が形成されているので、確実に弁体４を上昇させて流水路を確保できる。
【考案を実施するための最良の形態】
【００１７】
図１ないし図４は、本案吐水装置を浴槽用に使用した実施例を示す。すなわち、図４に示すごとく浴槽に湯を溜めるための吐水装置として設置した。この吐水装置は、それぞれステンレス製の部材で形成されており、図１において基台１たる浴槽のフランジに埋め込み固定される外筒２と、外筒２内において上下摺動可能な内筒３と、内筒３内において上下摺動可能な弁体４と、外筒２の下方に連通管５を介して配され、内部の残留水を外部へ排出するドレン弁６とを有する。内筒３は、外筒２内において外筒２と上面フラット状に没入した図１に示す止水時の格納姿勢と、外筒２から上方に突出する図２に示す通水時の突出姿勢とにわたって出没可能となっている。
【００１８】
外筒２は、浴槽のフランジ１に固定される固定座具８と、固定座具８の下方に取り付けられて周側壁となる円筒形の外筒胴体９と、外筒胴体９の下面開口を塞いで底壁となる外筒底板１０とで構成された縦長の有底円筒形を呈する。固定座具８は、短寸円筒形の周側壁８ａの上端からフランジ８ｂが外方向に水平に張り出し形成されており、このフランジ８ｂを浴槽のフランジ１の上面にボルト１１で四方固定し、フランジ８ｂの下面外周縁部にシールリング１２を配して浴槽の湯が吐水装置周りに浸入するのを防いでいる。外筒胴体９は固定座具８の周側壁８ａの外周面に挿嵌され、外筒底板１０は外筒胴体９にボルト１１によって四方固定されている。外筒胴体９と外筒底板１０との間にもシールリング１２を配して吐水装置内部の水が外筒２の下方から漏れるのを防いでいる。そして、外筒底板１０すなわち外筒３の底壁からは１本の回転規制棒１４が立設され、底壁１０の中央部に形成した円形の開口１３を介して外筒２は内筒３および連通管５と上下に連通している。
【００１９】
内筒３は、これの周側壁となる円筒形の内筒胴体１６と、内筒胴体１６の上面開口を塞いで上壁となる円盤形の蓋板１７と、内筒胴体１６の下面開口を塞いで底壁となる円盤形の内筒底板１８とで構成されている。内筒胴体１６は、上方から下方にかけて３段階の肉厚となるよう形成されることで、上下中間部の第１段部２０と下方の第２段部２１とが内筒胴体１６の外方向へ膨出形成されており、内筒胴体１６における蓋板１７の直下位置には横長四角形の吐水口２２が貫通状に形成されている。蓋板１７は内筒胴体１６の上端と同一外径寸法であり、その下面中央部には弁体４を収容する筒体２３が配され、蓋板１７の内部には弁体４が上下摺動するに際して内部の空気を出し入れする空気抜路２４が形成されている。内筒底板１８は内筒胴体１６にボルト１１で四方固定されて、その中央部に形成された円形の開口２５を介して外筒２と連通している。すなわち、外筒２の開口１３と内筒３の開口２５とを介して連通管５から内筒３の吐水口２２まで至る水の流路が確保されている。また、先の外筒３の底壁１０から立設された回転規制棒１４は内筒底板１８を貫通している。
【００２０】
連通管５の下方には止水時に吐水装置内部の水を排出するためのドレンケース２７が配され、これを上下に貫通する状態でキノコ状のドレン弁６が上下摺動可能に設けられており、ドレンケース２７の底壁にはドレン弁６を周回するように排水口２９となる複数の小孔が穿設されている。図１に示す止水時においては、ドレン弁６はこれの軸６ａ周りに配され、ドレン弁６の頭部６ｂとドレンケース２７の底壁とに上下端を当接させた第１の圧縮コイルバネ２８で上方に押圧付勢されていることで、排水口２９が連通管５と連通して排水可能となっている。また、ドレン弁６の頭部６ｂの外径寸法をドレンケース２７の上面開口よりも大きく設定してその下方限界を規制している。以て図２に示す通水時には、ドレン弁６は水圧により下方へ押圧されて頭部６ｂとドレンケース２７の上面とが密接することで排水口２９への流路を塞ぐようになっている。このとき、ドレン弁６の頭部６ｂとドレンケース２７の上面との間にシールリング１２を配して、通水時の確実な液密性を確保し、かつ連通管５とドレンケース２７との当接面にもシールリング１２を配して通水時に連通管５から水が漏れるのを防いでいる。なお、符号３０は、ドレン弁６がドレンケース２７から上方へ抜け外れるのを防止するストッパリングである。
【００２１】
内筒３は外筒２の内部に上下摺動可能に収容されており、内筒３の上部の外径は外筒２の固定座具８の内径と略同一寸法に設定されて外筒２の内周面と固定座具８の外周面とが当接しており、内筒胴体９の第1段部２０から下方部の外径は固定座具８の内径よりも大きく設定され、第２段部２１より下方部は外筒胴体９の内周面と近接している。外筒２の外周面と内筒３の内周面との間には、第１バネ２８よりもバネ圧の大きな第２の圧縮コイルバネ３２が内筒３を周回状に配されており、第２バネ３２の上端は外筒２の固定座具８の下面で、下端は内筒胴体９の第２段部２１の上面でそれぞれ受け止められている。止水時にはこの第２バネ３２によって内筒３は下方に押圧付勢されて外筒２に没入した格納姿勢となっている。このとき、内筒３の下端が外筒２の内部下方に配した円筒形のカラー３３に当接することで、その下方限界が規制されている。以て内筒３が下方限界にあるとき、外筒２の底壁１０と内筒３の底壁１８との間にはカラー３３の高さ寸法分だけの隙間が形成されている。
【００２２】
図２に示す通水時には、内筒３は外筒２から上方に突出した突出姿勢となる。その上方限界は、内筒胴体９の第１段部２０が外筒３の固定座具８の下面に当接することで規制されている。そして、第２バネ３２の上端と吐水口２２との間の上下高さ位置にシールリング１２を配して外筒２と内筒３との間を液密状にシールすることで、吐水装置内部の水が内筒３の上昇に伴って内筒３周りから漏れ出すのを防止している。
【００２３】
弁体４は、内筒３の底壁１８の開口２５よりも拡径の頭部を有する逆キノコ状であって、内筒３内の筒体２３の内部に上下摺動可能に収容されている。弁体４の内部には第２バネ３２よりもさらにバネ圧の大きい第３の圧縮コイルバネ３４が配されており、図１に示す止水時はこの第３バネ３４により下方に付勢されることで、内筒３の底壁１８の開口２５を塞いでいる。第３バネ３４の上端は内筒３の上壁１７で、下端は弁体４の頭部で受け止められている。図２に示す通水時には、弁体４は上方に摺動して開口２５を開放するようになっている。弁体４と筒体２３とは、弁体４の上方およびほぼ中央部の２箇所にシールリング１２を配して内筒２内の水が弁体４内に進入するのを防止している。連通管２５には給水口３６が設けられて、ここに水道管３７が連結されている。
【００２４】
次に、図３に基づいて本案吐水装置の機構を説明する。図１の止水状態から図外のバルブを開いて通水を開始すると、連通管２５の給水口３６を介して水道管３７から給水された水が、連通路２５と外筒２の底壁１０の開口１３を通って外筒２および内筒３の底壁１０・１８の間とに充満していく。上述のように第１バネ２８、第２バネ３２、第３バネ３４は、これの順でバネ圧が大きくなるよう設定されているので、内部の水圧により、まず最もバネ圧の小さい第１バネ２８で付勢されているドレン弁６が、図３（ａ）に示すように第１バネ２８の付勢力に抗して下方に摺動し、排水口２９への流路を塞いで水が排水されないようになる。
【００２５】
これより水は逃げ場を失うことでさらに水圧が上がっていき、次に内筒３が下面全体で水圧を受けて図３（ｂ）に示すように上方に摺動して、内筒３が外筒２の上方へ突き出た突出状態となる。このとき回転規制棒１４の存在により、内筒３は左右方向に回転することなくかつ安定的に上方へ摺動でき、外筒２と内筒３との間の空気は内筒３の外面下方から流出される。
【００２６】
そしてさらに水圧が上がると、図３（ｃ）に示すように最もバネ圧の高い第３バネで付勢されている弁体４がその付勢力に抗して最後に上方へ摺動することで、内筒３の底壁１８の開口２５が開放されて外筒２と内筒３とが連通し、内筒３の内部に水が流入して吐水口２２から水が吐水される。このとき弁体４内の空気は空気抜路２４を介して外部に流出できる。
【００２７】
図３（ｃ）の吐水状態からバルブを閉じて止水すると、吐水装置内部の水圧が下がる。これにより、ドレン弁６が第１バネ２８の付勢力で再度上方へ摺動することで排水口２９への流路が開き、吐水装置内部の水を排水しながらそれぞれ第２バネ３２、第３バネ３４の付勢力で内筒３および弁体４も下方へ摺動して図１に示す元の格納状態へ戻る。このとき内筒３内に若干の水が残っていても、回転規制棒１４と内筒３の底壁１０との隙間から徐々に排水されていく。また、外筒２と内筒３との間に水が入り込んだ水も、外筒２と内筒３とはその下方部においてシールされていないので、徐々に内筒３の外周下方から排水される。
【００２８】
以上のように、バルブの開閉操作に伴って吐水口２２が出没し、不使用時は内筒３を外筒２内に格納しておき、使用時にのみ内筒３を外筒２から突出させて吐水するので、非常に体裁、安全性および清掃性に優れている。
【００２９】
なお、回転規制棒１４は１本に限らず複数本でもよく、その形状も丸棒や角棒など制限されない。
【図面の簡単な説明】
【００３０】
【図１】止水状態の縦断面図
【図２】通水状態の縦断面図
【図３】一連の動作を示す説明図
【図４】吐水装置を設置した浴槽の斜視図
【符号の説明】
【００３１】
１  基台
２  外筒
３  内筒
４  弁体
５  連通管
６  ドレン弁
１２  シールリング
１４  回転規制棒
２２  吐水口
２４  空気抜路
２８  第１バネ
２９  排水口
３２  第２バネ
３３  カラー
３４  第３バネ
【図１】
0003120535.tif 000003
【図２】
0003120535.tif 000004
【図３】
0003120535.tif 000005
【図４】
0003120535.tif 000006